(57)【要約】【課題】送風装置及び排気装置を要せずに、乗りかごの床を清掃できるようにする。【解決手段】本発明に係るエレベーターのかご床清掃装置は、乗りかご２の一方の側部１０に設けられており、第１開口部１１ａを有し、乗りかご２の床９側に位置する側部に第２開口部１１ｂを有し、乗りかご２の走行に伴って生起した風を床９に導く風誘導部１１と、この風誘導部１１の第１開口部１１ａを開閉可能な蓋部１４と、乗りかご２の他方の側部１２に設けられており、床９側に位置する側部に排出用開口部１３ａを有し、風誘導部１１によって導かれた風によって床９上を移動したゴミを排出用開口部１３ａから排出させるゴミ収容部１３と、蓋部１４を乗りかご２の走行時には開状態に保持し、着床時には閉状態に保持するソレノイド１６と、乗りかご２の走行を制御すると共に乗りかご２の走行に応じてソレノイド１６の作動を制御する制御装置７とを備えている。【選択図】図３
2018002422.tif 000002
【特許請求の範囲】
【請求項１】
乗りかごの床に沿う風の流れによって前記床を清掃するエレベーターのかご床清掃装置であって、
前記乗りかごの一方の側部に設けられており、第１開口部を有し、床側に位置する側部に第２開口部を有し、前記乗りかごの走行に伴って生起した風を前記第１開口部から前記第２開口部を経て前記床に導く風誘導部と、
前記風誘導部の前記第１開口部を開閉可能な蓋部と、
前記乗りかごの他方の側部に設けられており、床側に位置する側部に排出用開口部を有し、前記風誘導部によって導かれた風によって床上を移動したゴミを前記排出用開口部から排出させる排出部と、
前記蓋部を、前記乗りかごの走行時には開状態に保持し、前記乗りかごの着床時には閉状態に保持する蓋保持部と、
前記乗りかごの走行を制御すると共に前記乗りかごの走行に応じて前記蓋保持部の作動を制御する制御装置とを備えることを特徴とするエレベーターのかご床清掃装置。
【請求項２】
請求項１に記載のエレベーターのかご床清掃装置であって、
前記蓋部は、前記風誘導部にヒンジ部によって回動可能に連結されており、
前記蓋保持部は前記蓋部を開閉するソレノイドから成ることを特徴とするエレベーターのかご床清掃装置。
【請求項３】
請求項１に記載のエレベーターのかご床清掃装置であって、
前記蓋部は、前記風誘導部に連結された軸体を有し、
前記蓋保持部は、前記風誘導部に取り付けられて前記蓋部の前記軸体を回動させるモータから成ることを特徴とするエレベーターのかご床清掃装置。
【請求項４】
請求項１に記載のエレベーターのかご床清掃装置であって、
前記排出部は、前記ゴミの落下を防ぐ底部を有する箱形状のゴミ収容部から成ることを特徴とするエレベーターのかご床清掃装置。
【請求項５】
請求項１に記載のエレベーターのかご床清掃装置であって、
前記排出部は、前記ゴミを落下させる落下用開口部を有する箱形状に形成されていることを特徴とするエレベーターのかご床清掃装置。
【請求項６】
請求項５に記載のエレベーターのかご床清掃装置であって、
前記排出部は、前記落下用開口部に取り付けられた網目状体を有することを特徴とするエレベーターのかご床清掃装置。
【請求項７】
請求項１に記載のエレベーターのかご床清掃装置であって、
前記制御装置は、着床時の前記乗りかご内に乗客が存在するか否かを判別する判別部を有し、前記判別部で前記乗りかご内に乗客が存在しないと判別された状態にあって乗場呼びを受信したときに、前記蓋部を開くように前記蓋保持部を制御した後前記乗りかごを呼び登録階まで走行させ、前記乗りかごの前記呼び登録階への着床後前記蓋部を閉じるように前記蓋保持部を制御する処理を行うことを特徴とするエレベーターのかご床清掃装置。
【請求項８】
請求項７に記載のエレベーターのかご床清掃装置であって、
前記判別部は、前記乗場呼びの無い状態が所定時間経過したか否かも判別するものから成り、
前記制御装置は、前記判別部で前記乗場呼びの無い状態が所定時間経過したと判別され、しかも前記乗りかご内に乗客が存在しないと判別された状態にあって前記乗場呼びを受信したときに、前記蓋部を開くように前記蓋保持部を制御した後前記乗りかごを前記呼び登録階まで走行させ、前記乗りかごの前記呼び登録階への着床後前記蓋部を閉じるように前記蓋保持部を制御する処理を行うことを特徴とするエレベーターのかご床清掃装置。
【発明の詳細な説明】
【技術分野】
【０００１】
本発明は、乗りかごの床に沿う風の流れによって床を清掃するエレベーターのかご床清掃装置に関する。
【背景技術】
【０００２】
この種の従来技術が特許文献１に開示されている。この従来技術は、エレベーターの乗りかごの床の一方の側に乗りかごの床面に沿って空気を吹き出す送風装置を備え、乗りかごの床の他方の側に乗りかご内の空気を吸い込んで乗りかごの外部に排気する排気装置を備えている。送風装置によって生起させた風によって乗りかごの床上のゴミを排気装置方向に移動させ、この排気装置から乗りかごの外部に排出させるようにしたものである。
【先行技術文献】
【特許文献】
【０００３】
【特許文献１】特開２０１１−５１６７３号公報
【発明の概要】
【発明が解決しようとする課題】
【０００４】
前述した従来技術は、機器を構成する送風装置と排気装置とを要することから、かご床清掃装置が大掛かりになり、製作コストが高くなりやすい。また、送風装置と排気装置とを作動、あるいは作動停止させる煩雑な制御処理が必要となる。
【０００５】
上記課題を解決するために、本発明の目的は、大掛かりな機器を構成する送風装置及び排気装置を要することなく、乗りかごの走行を利用して乗りかごの床を清掃することができるエレベーターのかご床清掃装置を提供することにある。
【課題を解決するための手段】
【０００６】
上記課題を解決するために、本発明に係るエレベーターのかご床清掃装置は、乗りかごの床に沿う風の流れによって前記床を清掃するエレベーターのかご床清掃装置であって、前記乗りかごの一方の側部に設けられており、第１開口部を有し、床側に位置する側部に第２開口部を有し、前記乗りかごの走行に伴って生起した風を前記第１開口部から前記第２開口部を経て前記床に導く風誘導部と、前記風誘導部の前記第１開口部を開閉可能な蓋部と、前記乗りかごの他方の側部に設けられており、床側に位置する側部に排出用開口部を有し、前記風誘導部によって導かれた風によって床上を移動したゴミを前記排出用開口部から排出させる排出部と、前記蓋部を、前記乗りかごの走行時には開状態に保持し、前記乗りかごの着床時には閉状態に保持する蓋保持部と、前記乗りかごの走行を制御すると共に前記乗りかごの走行に応じて前記蓋保持部の作動を制御する制御装置とを備えることを特徴としている。
【発明の効果】
【０００７】
本発明に係るエレベーターのかご床清掃装置によれば、構成が簡単で製作コストを従来よりも低減させることができる。また、従来におけるような煩雑な制御を要することなく乗りかごの床を清掃することができる。前述した以外の課題、構成及び効果は、以下の実施形態の説明により明らかにされる。
【図面の簡単な説明】
【０００８】
【図１】本発明に係るかご床清掃装置の一実施形態が備えられたエレベーターの構成を示す図である。
【図２】図１に示したエレベーターに備えられた乗りかごの床を示す平面図である。
【図３】本実施形態に備えられた風誘導部を示す図で、（ａ）図は蓋部が閉じられた状態を示す側断面図、（ｂ）図は蓋部が開かれた状態を示す側断面図である。
【図４】本実施形態に備えられた排出部を構成するゴミ収容部を示す側断面図である。
【図５】本実施形態に備えられた制御装置における処理手順を示すフローチャートである。
【図６】風誘導部の別の例を示す図で、（ａ）は蓋部が閉じられた状態を示す側断面図、（ｂ）図は蓋部が開かれた状態を示す側断面図である。また、風誘導部のさらに別の例を示す図で、（ｃ）図は蓋部が開かれた状態を示す側断面図である。
【図７】排出部の別の例を示す側断面図である。
【図８】排出部のさらに別の例を示す側断面図である。
【発明を実施するための形態】
【０００９】
以下、本発明に係るエレベーターのかご床清掃装置の実施の形態を図面に基づいて説明する。
【００１０】
図１に示すように、本実施形態に係るかご床清掃装置は、昇降路１内を走行する乗りかご２と、この乗りかご２との重量バランスを確保するカウンターウエイト３と、乗りかご２とカウンターウエイト３とを連結する主ロープ４とを備えている。
【００１１】
昇降路１の天井部に設けられた機械室５内には、主ロープ４を移動させる巻上機６と、この巻上機６の駆動を制御することにより乗りかご２の走行を制御する制御装置７とを配置してある。
【００１２】
図２に示すように、乗りかご２の床９の正面側にはかごドア８が配置されている。乗りかご２の一方の側部１０には、乗りかご２の走行に伴って生起した風を床９に導く複数、例えば３つの風誘導部１１を備えている。乗りかご２の他方の側部１２には、風誘導部１１によって導かれた風によって床９上を移動したゴミを排出させる複数、例えば風誘導部１１の数に対応させて３つの排出部、すなわちゴミ収容部１３を備えている。
【００１３】
図３に示すように、風誘導部１１は、上部に第１開口部１１ａを有し、床９側に位置する側部に第２開口部１１ｂを有している。乗りかご２の走行に伴って生起した風は第１開口部１１ａから第２開口部１１ｂを経て乗りかご２の床９に導かれる。
【００１４】
また、本実施形態は、風誘導部１１の第１開口部１１ａを開閉可能な蓋部１４と、この蓋部１４を乗りかご２の走行時に同図３の（ｂ）に示すように開状態に保持し、乗りかご２の各階床への着床時に同図３の（ａ）に示すように閉状態に保持する蓋保持部とを備えている。
【００１５】
蓋部１４は、風誘導部１１にヒンジ部１５によって回動可能に連結されている。前述した蓋保持部は、蓋部１４を開閉するソレノイド１６によって構成されている。
【００１６】
風誘導部１１は、乗りかご２の一方の側部１０に設けられ乗りかご２の壁を形成する側板２ａの下端に設けられた空間部に配置されており、側板２ａの下端に固定され箱形状に形成されている。ソレノイド１６は、床９側とは反対の昇降路１側の側板２ａの側面に固定されている。
【００１７】
図４に示すように、前述したゴミ収容部１３は、床９側に位置する側部に矢印１３ｃに示すようにゴミが排出される排出用開口部１３ａを有し、ゴミの落下を防ぐ底部１３ｂを有している。このゴミ収容部１３は、乗りかご２の他方の側部１２に設けられ乗りかご２の壁を形成する側板２ｂの下端に設けられた空間部に配置されており、側板２ｂの下端に固定され箱形状に形成されている。
【００１８】
前述した制御装置７は判別部を有している。この判別部は、乗場呼びが無い状態が所定時間、例えば３分経過したか否かを判別する処理を行う。また、階床に着床している乗りかご２内に乗客が存在するか否かを判別する処理を行う。また、制御装置７が乗場呼びを受信したか否かを判別する処理を行う。また、走行している乗りかご２が呼び登録階に着床したか否かを判別する処理を行う。
【００１９】
以下、本実施形態における床清掃時の処理動作を図５のフローチャートに基づいて説明する。
【００２０】
［ステップＳ１］  乗りかご２が建物の予め定められた下方階床において着床し停止してかごドア８を閉じている状態において、制御装置７の判別部で乗場呼びが無い状態が３分経過したか否か判別される。この判別がノーであれば、このステップＳ１の判別が繰り返される。判別がイエスであればステップＳ２に進む。
【００２１】
［ステップＳ２］  制御装置７の判別部で乗りかご２に設けた秤装置判定が０か否か、すなわちすなわち乗りかご２内に乗客が存在するか否か判別される。この判別がノーであればステップＳ１に戻る。判別がイエスであればステップＳ３に進む。
【００２２】
［ステップＳ３］  制御装置７の判別部で建物の予め定められた上方階での乗場呼びが受信されたか否か判別される。この判別がノーであればステップＳ１に戻る。判別がイエスであればステップＳ４に進む。なお、ステップＳ１の着床階とステップＳ３の乗場呼びが発生した階の距離は乗りかご２の床９に沿って十分な時間、風が発生するよう着床階の範囲と乗場呼びが発生する階の条件を予め定め、条件を満たしたときにステップＳ４の処理を行えば、床面を清掃する十分な風量が得られる。
【００２３】
［ステップＳ４］  制御装置７は、図３の（ｂ）に示したように、蓋部１４を開くようにソレノイド１６を制御した後、乗りかご２を呼び登録階まで走行させる制御を行う。このステップＳ４の次はステップＳ５に進む。
【００２４】
なお、乗りかご２の走行に伴って、風誘導部１１の第１開口部１１ａから導かれた風が風誘導部１１の第２開口部１１ｂを経て乗りかご２の床９に導かれる。この風によって床９上のゴミがゴミ収容部１３方向に移動し、このゴミ収容部１３の排出用開口部１３ａからゴミ収容部１３内に排出され、底部１３ｂに溜まる。
【００２５】
［ステップＳ５］  制御装置７の判別部は、乗りかご２が呼び登録階に着床したか否か、図示しないかご位置検出装置からの信号に応じて判別する。この判別がノーであればステップＳ４に戻る。判別がイエスであればステップＳ６に進む。
【００２６】
［ステップＳ６］  制御装置７は、図３の（ａ）に示したように、蓋部１４を閉じるようにソレノイド１６を制御し、乗客が乗りかご２から降りた後、かごドア８を閉じて乗りかご２を待機状態に保つ。
【００２７】
このように構成した本実施形態では、所定時期にゴミ収容部１３に溜まったゴミを乗りかご２の外部の所定場所に捨てればよく、乗りかご２の床９の清掃を、乗りかご２の走行によって生起させた風を床９に導くことによって清掃者によることなく自動的に行うことができる。
【００２８】
すなわち本実施形態は、大掛かりな機器を構成する送風装置及び排気装置を要することなく、乗りかご２の床９の清掃を行うことができる。これにより本実施形態は、構成が簡単で製作コストを低減させることができる。また、送風装置及び排気装置に関係する煩雑な制御を要することなく乗りかご２の床９を清掃することができ、実用性に優れている。
【００２９】
また、本実施形態は、制御装置７の判別部で乗りかご２内に乗客が存在しないと判別されたときに、床９の清掃を行うので、乗客の足等にゴミの移動が阻止されることなく清掃を行うことができる。また、制御装置７の判別部で乗場呼びが無い状態が３分経過したと判別されたときに、すなわちエレベーターの利用頻度が少ないと見做されるときに、床９の清掃を行うので、エレベーターの利用者に対する清掃の影響を少なくすることができる。
【００３０】
なお、前述した実施形態にあっては、蓋部１４を開状態あるいは閉状態に保持する蓋保持部がソレノイド１６によって構成されているが、本発明は、蓋保持部をこのように構成することには限定されない。例えば図６に示すように、蓋部１４を風誘導部１１に連結された軸体を有する構成とし、蓋保持部が蓋部１４の前述した軸体を回動させるモータ１７で構成されていてもよい。また、図６（ｃ）に示すように、風誘導部１１内にガイド板１１ｃを設け、第１開口部１１ａよりも、第２開口部１１ｂを狭めることで、風の流速を高め、ゴミの排出効率を高める構成としてもよい。
【００３１】
また、前述した実施形態にあっては、乗りかご２の床９上のゴミを排出させる排出部が底部１３ｂを有するゴミ収容部１３によって構成されているが、本発明は、排出部をこのように構成することには限定されない。図７に示すように排出部２０が、床９上のゴミが排出される排出用開口部を形成する第１開口部２０ａと共に、排出されたゴミを落下させる落下用開口部を形成する第２開口部２０ｂを有する箱形状に形成されていてもよい。また、図７に示した構成に加えて、図８に示すように排出部２０の第２開口部２０ｂに、硬貨やキー等の落下を防ぐ網目状体２１を設けた構成にしてもよい。
【００３２】
また、前述した実施形態は、制御装置７の判別部が乗場呼びが無い状態が３分、すなわち所定時間経過したか否か判別する構成にしてあるが、この判別部で前述のような判別を行うことなく清掃する構成にしてもよい。すなわち制御装置７が、判別部で乗りかご２内に乗客が存在しないと判別された状態にあって乗場呼びを受信したときに、蓋部１４を開くようにソレノイド１６を制御した後乗りかご２を呼び登録階まで走行させ、乗りかご２の呼び登録階への着床後、蓋部１４を閉じるようにソレノイド１６を制御する処理を行う構成としてもよい。
【００３３】
また、前述した実施形態は清掃対象のエレベーターが昇降路１の天井部に機械室５を有するエレベーターであるが、本発明は、昇降路１に機械室５を備えていない機械室レスエレベーターにも適用可能である。
【００３４】
本発明は前述した実施形態に限定されず、本発明の要旨を逸脱しない範囲で種々の変形が可能であり、特許請求の範囲に記載された技術思想に含まれる技術的事項の全てが本発明の対象となる。前述した実施形態は、好適な例を示したものであるが、当業者ならば、本明細書に開示の内容から、各種の代替例、修正例、変形例あるいは改良例を実現することができ、これらは添付の特許請求の範囲に記載された技術的範囲に含まれる。
【符号の説明】
【００３５】
２・・乗りかご、７・・制御装置、９・・床、１０・・一方の側部、１１・・風誘導部、１１ａ・・第１開口部、１１ｂ・・第２開口部、１１ｃ・・ガイド板、１２・・他方の側部、１３・・ゴミ収容部（排出部）、１３ａ・・排出用開口部、１３ｂ・・底部、１４・・蓋部、１５・・ヒンジ部、１６・・ソレノイド（蓋保持部）、１７・・モータ（蓋保持部）、２０・・排出部、２０ａ・・第１開口部（排出用開口部）、２０ｂ・・第２開口部（落下用開口部）、２１・・網目状体
【図１】
2018002422.tif 000003
【図２】
2018002422.tif 000004
【図３】
2018002422.tif 000005
【図４】
2018002422.tif 000006
【図５】
2018002422.tif 000007
【図６】
2018002422.tif 000008
【図７】
2018002422.tif 000009
【図８】
2018002422.tif 000010